(57)【要約】      （修正有）【課題】均等且つ平坦に被転写物に転写し、フルーカラーの図柄を物品上に転写するプレートレス転写フィルム及び転写装置を提供する。【解決手段】プレートレス転写装置はプレートレス転写フィルムと転写機を含み、プレートレス転写フィルムは基材と転写層を含み、転写層は基材上にあって下から上に順番に離型層、図柄層、白色インク層、及び接着層を含む。また、転写機は加圧部、加熱部、上固定部、及び下固定部を含み、下固定部に被転写物を固定し、加熱部が加熱したプレートレス転写フィルムを被転写物上に置き、加圧部で上固定部と下固定部に圧力を加えると、プレートレス転写フィルムが被転写物の表面に転写され、転写機の加圧部が上固定部と下固定部の間にある被転写物と転写フィルムを加圧する。【選択図】図４
0003160912.tif 000002
【実用新案登録請求の範囲】
【請求項１】
基材と前記基材上にある転写層とを含むプレートレス転写フィルムであって、
前記転写層は、
前記基材上にあって前記基材と前記転写層とを選択的に分離する離型層と、
前記離型層上にあってカラーインクである図柄層と、
前記図柄層上にある白色インク層と、
前記白色インク層上にあって、プレートレス転写フィルムに接着力を持たせる接着層と、
を含むことを特徴とするプレートレス転写フィルム。
【請求項２】
さらに前記離型層上にある透明保護層を含むことを特徴とする請求項１に記載のプレートレス転写フィルム。
【請求項３】
請求項１に記載のプレートレス転写フィルムと転写機とを含むプレートレス転写装置であって、
前記転写機は、
前記プレートレス転写フィルムを加熱する加熱部と、
被転写物を固定する下固定部と、
前記下固定部に対応する上固定部と、
前記上固定部と前記下固定部を加圧して前記プレートレス転写フィルムを前記被転写物の表面に転写する加圧部と、
を含むことを特徴とするプレートレス転写装置。
【請求項４】
さらに前記上固定部と前記被転写物の間にあるシリコン層を含むことを特徴とする請求項３に記載のプレートレス転写装置。
【請求項５】
被転写物と、
前記被転写物上にある接着層と、
前記接着層上にある白色インク層と、
前記白色インク層上にあってカラーインクを有する図柄層と、
を含むことを特徴とするフルーカラーの図柄を有する応用物品。
【考案の詳細な説明】
【技術分野】
【０００１】
本考案は転写技術に関し、特に図柄を被転写物上に転写することが可能なプレートレス転写技術に関する。
【背景技術】
【０００２】
転写技術は、水転写、熱転写、摩擦転写の様に幾種類もあり、その転写図柄は従来のプリントやデジタルプリントでアウトプットされて得られ、それぞれプレート転写とプレートレス転写に適用されている。熱転写は各種物品に広く応用され、物品に美観を持たせたり独創性を持たせたりする。
【０００３】
熱転写は主に転写フィルムを転写物上に覆い、転写フィルムを加圧、加温して転写フィルムの図柄を転写物上に転写するが、転写面積が小さな場合や平面上においては安定した転写品質が得られるものの、凹凸面や鉛直角の場合は、不均等になったり剥離したりする状況が起き易くなる。
【０００４】
転写工程で転写フィルムを加熱して転写フィルム上のホットメルト接着剤を転写物上に接着させるのに、転写フィルムの温度が高過ぎると図柄のカラーに色むらやぼやけを生じる。また、プラスチック類製品のような高温に耐えられない転写物に使用すると、温度が高すぎて転写物の表面が変形したり溶解して損壊したりする。
【考案の概要】
【考案が解決しようとする課題】
【０００５】
本考案は、このような事情に鑑みてなされたもので、フルーカラーの図柄を均等に被転写物に転写する効果をもたらすプレートレス転写装置を提供することを課題とする。
【０００６】
また、本考案は、プレートレス転写フィルムを被転写物に転写することによってフルーカラーの図柄を均等且つ平坦に物品上に転写することを課題とする。
【０００７】
また、本考案は、平坦ではない面や鉛直角の転写効果を改善し、転写後に転写フィルムと被転写物との密着性に優れたプレートレス転写装置を提供することを課題とする。
【課題を解決するための手段】
【０００８】
上記の技術的課題を解決するために、本考案の技術構想はプラスチックや金属素材物に適用され、プレートレス転写フィルムと転写機を含み、プレートレス転写フィルムは基材と転写層を含み、転写層は基材上にあって下から上に順番に離型層、図柄層、白色インク層、及び接着層を含み、転写機は加圧部、加熱部、上固定部、及び下固定部を含むプレートレス転写装置を提供する。
【０００９】
加熱部によってプレートレス転写フィルムを加熱し、下固定部に被転写物を固定し、加熱部が加熱したプレートレス転写フィルムを被転写物上に置き、加圧部で上固定部と下固定部に圧力を加えると、プレートレス転写フィルムは被転写物の表面に転写される。
【考案の効果】
【００１０】
転写機の加圧部が上固定部と下固定部の間にある被転写物と転写フィルムを加圧することにより均等に転写する目的を達することができる。このようにして、被転写物上の図柄が容易に剥離しない様にする目的を達することができる。
【図面の簡単な説明】
【００１１】
【図１】本考案に係るプレートレス転写フィルムの一実施形態の断面図である。
【図２】本考案に係るプレートレス転写フィルムの一実施形態の概略図である。
【図３】本考案に係るフルーカラーの図柄を有する応用物品の一実施形態の概略図である。
【図４】本考案に係るプレートレス転写装置の一実施形態の概略図である。
【考案を実施するための形態】
【実施例】
【００１２】
図１は本考案が提供するプレートレス転写フィルムの一実施形態の断面図である。図１に示すように、プレートレス転写フィルム１は基材１０と転写層１２を含み、転写層１２は離型層１２１、透明保護層１２３、図柄層１２５、白色インク層１２７、及び接着層１２９を含む。
【００１３】
このプレートレス転写フィルム１は基材１０上に転写層１２をコーティング（ｃｏａｔ）すると、転写層１２の構造は順番に離型層１２１、透明保護層１２３、図柄層１２５、白色インク層１２７、及び接着層１２９となるため、転写層１２の離型層１２１を基板１０上にコーティングするとプレートレス転写フィルム１となる。
【００１４】
基材１０はプラスチックフィルム又はペーパー等の軟性シートでよく、プラスチックフィルムはインク等の顔料が附着し難いことから、離型層１２１を加える必要があり、離型層１２１は熱融解タイプ、熱硬化タイプ又は半硬化タイプの離型剤でよく、これによって図柄層１２５と基材１０が分離不可能にならないようにし、基材１０と転写層１２を選択して分離する。透明保護層１２３は透明の耐溶剤性インク、透明のアクリル系接着剤又は透明のホットメルト接着剤等でよく、耐熱性と溶解し難い性質を備え、図柄層１２５を保護して化学溶剤に侵蝕されたり物理的に損傷して破壊されたりしない。図柄層１２５はレーザープリンタやインクジェットプリンタで図柄を描き出すが、インクは環境保護タイプのインクで、図柄層１２５は４種類のカラー塗料で重複して４回コーティングを行った上で乾燥させると図柄が完成する。この４種類のカラーは黄色、赤色、青色、黒色の４原色であって、コーティング工程はコーティング装置で完了させ、乾燥工程はドライヤや乾燥機で完了させる。白色インク層１２７は白色塗料である。接着層１２９は印刷用の熱転写用接着剤や樹脂でよい。
【００１５】
図２は本考案に係るプレートレス転写フィルムの一実施形態の概略図である。プレートレス転写フィルム１はシート状又はロール状の軟性シートで、この実施形態では製作する際、２５０メッシュの基材１０上で離型層１２１にコーティング装置でコーティングするか、若しくはプリンタでプリントするかする。メッシュの単位はインチであり、続いて離型層１２１上で図柄層１２５にコーティング装置でコーティングするか、若しくはプリンタでプリントするが、離型層１２１は細かめのメッシュを有し、しかも図柄層１２５のインクや塗料を通し難く、最少で４００かそれより細かめのメッシュで、また均等に色付けができ、続いてさらに白色インク層１２７を図柄層１２５上にコーティング又は印刷するが、白色インク層１２７は約３００のメッシュを有し、プリンタが白色顔料を印刷できないのを補完し、図柄層１２５のコントラストを強めることができる。そして最後に白色インク層１２７上に接着層１２９をコーティング装置でコーティングするか、若しくはプリンタでプリントするが、接着層１２９は適切な温度では溶融状であり、例えば約７５〜１２０度のとき接着力が最強となるが、常温では接着力は弱く、プレートレス転写フィルム１はロール式で収蔵することができる。
【００１６】
図３は本考案に係るフルーカラーの図柄を有する応用物品の一実施形態の概略図である。フルーカラーの図柄を有する応用物品２は被転写物２０と転写層１２を含み、プレートレス転写フィルム１と被転写物２０をスムーズに附着させるために、接着層２９の材質は被転写物２０の材質と相容れ、特定の温度で最大の接着力を有し、接着層２９が被転写物２０の表面にぴったりと貼り付き、しかもこの温度は被転写物２０の融点に達しない必要がある。本実施形態では、接着層２９は約７５から１００度の低めの融点を有し、低温加熱して転写し、被転写物２０が融解して変形たり損壊するのを回避し、しかも加熱後に例えば摂氏４０度前後の低めの温度まで冷却すると、離型層１２１が冷却したり液体のままであると、転写層１２は基材１０から均等に剥離することができる。転写層１２は透明保護層１２３を含むか又は基材１０から剥離した上でさらに耐溶剤性の透明インクを図柄層１２５上にコーティングして透明保護層１２３を形成すると、図柄層１２５を保護して化学溶剤に侵蝕されたり物理的に損傷して破壊されたりしない。別の実施形態では、転写層１２は接着層１２９を含まず、被転写物２０自体の材質又はその表面の下地塗りが熱くなると接着力を有して図柄層１２５と接着する。図柄層１２５の図柄様式はカスタマイズされたニーズに応じてプリンタが異なる色柄や文字をプリントアウトしてフルーカラーの図柄を有する応用物品２の独創性を高めることができる。
【００１７】
最後に、図４は本考案に係るプレートレス転写装置の一実施形態の概略図である。図４に示すように、プレートレス転写装置３はプレートレス転写フィルム１と転写機３０を含み、転写機３０は上固定部３３と下固定部３１、加圧部（図示せず）、加熱部（図示せず）、及び伝送部３５を含む。下固定部３１は被転写物２０を固定するためのものであり、下固定部３１と上固定部３３は被転写物２０の外形に合せて、被転写物２０を完全にカバーすることができ、本実施形態では、下固定部３１と上固定部３３は対応する凹面と凸面若しくは対応する曲面でよい。伝送部３５はプレートレス転写フィルム１を平坦に転写機３０内に送り込むが、伝送部３５はシャフト又はローラでよく、転写機３０に送り込む前にプレートレス転写フィルム１が加熱部によって例えば約７５から１００度のような特定の温度まで加熱されると、プレートレス転写フィルム１は接着力を有し、プレートレス転写フィルム１が被転写物２０が転写しようとする表面に位置すると共に上固定部３３と下固定部３１の間に位置すると、加圧部が上固定部３３と下固定部３１に圧力を加えて、上固定部３３と下固定部３１を互いにぴったりと圧合させ、加熱後のプレートレス転写フィルム１は均等且つ気泡が無いように転写物２０上に転写することができる。本実施形態では、転写機３０はさらに排気部（図示せず）を含んで転写機３０内の環境を真空状態にしてプレートレス転写フィルム１と被転写物２０との間を気泡が無い状態に保つことができる。また、上固定部３３と下固定部３１の間にさらにシリコン層３３１を含み、被転写物２０の表面が平坦でないか鉛直角である場合、シリコン層３３１が一層均等な施力を提供するのに役立つ。本実施形態ではシリコン層３３１は上固定部３３と被転写物２０の間に設けられ、加圧部が上固定部３３と下固定部３１に圧力を加えると、プレートレス転写フィルム１が被転写物２０に転写される効果が一層良好となって転写品質が向上する。
【符号の説明】
【００１８】
１      プレートレス転写フィルム
１０    基材
１２    転写層
１２１  離型層
１２３  透明保護層
１２５  図柄層
１２７  白色インク層
１２９  接着層
２      フルーカラーの図柄を有する応用物品
２０    被転写物
３      プレートレス転写装置
３０    転写機
３１    下固定部
３３    上固定部
３３１  シリコン層
３５    伝送部
【図１】
0003160912.tif 000003
【図２】
0003160912.tif 000004
【図３】
0003160912.tif 000005
【図４】
0003160912.tif 000006
【手続補正書】
【提出日】平成22年5月12日(2010.5.12)
【手続補正１】
【補正対象書類名】実用新案登録請求の範囲
【補正対象項目名】請求項５
【補正方法】変更
【補正の内容】
【請求項５】
被転写物と、
前記被転写物上にある接着層と、
前記接着層上にある白色インク層と、
前記白色インク層上にあってカラーインクを有する図柄層と、
を含むことを特徴とするフルーカラーの図柄を有する印刷物。
【手続補正３】
【補正対象書類名】明細書
【補正対象項目名】００１１
【補正方法】変更
【補正の内容】
【００１１】
【図１】本考案に係るプレートレス転写フィルムの一実施形態の断面図である。
【図２】本考案に係るプレートレス転写フィルムの一実施形態の概略図である。
【図３】本考案に係るフルーカラーの図柄を有する印刷物の一実施形態の概略図である。
【図４】本考案に係るプレートレス転写装置の一実施形態の概略図である。
【手続補正４】
【補正対象書類名】明細書
【補正対象項目名】００１６
【補正方法】変更
【補正の内容】
【００１６】
図３は本考案に係るフルーカラーの図柄を有する印刷物の一実施形態の概略図である。フルーカラーの図柄を有する印刷物２は被転写物２０と転写層１２を含み、プレートレス転写フィルム１と被転写物２０をスムーズに附着させるために、接着層２９の材質は被転写物２０の材質と相容れ、特定の温度で最大の接着力を有し、接着層２９が被転写物２０の表面にぴったりと貼り付き、しかもこの温度は被転写物２０の融点に達しない必要がある。本実施形態では、接着層２９は約７５から１００度の低めの融点を有し、低温加熱して転写し、被転写物２０が融解して変形たり損壊するのを回避し、しかも加熱後に例えば摂氏４０度前後の低めの温度まで冷却すると、離型層１２１が冷却したり液体のままであると、転写層１２は基材１０から均等に剥離することができる。転写層１２は透明保護層１２３を含むか又は基材１０から剥離した上でさらに耐溶剤性の透明インクを図柄層１２５上にコーティングして透明保護層１２３を形成すると、図柄層１２５を保護して化学溶剤に侵蝕されたり物理的に損傷して破壊されたりしない。別の実施形態では、転写層１２は接着層１２９を含まず、被転写物２０自体の材質又はその表面の下地塗りが熱くなると接着力を有して図柄層１２５と接着する。図柄層１２５の図柄様式はカスタマイズされたニーズに応じてプリンタが異なる色柄や文字をプリントアウトしてフルーカラーの図柄を有する印刷物２の独創性を高めることができる。
【手続補正５】
【補正対象書類名】明細書
【補正対象項目名】００１８
【補正方法】変更
【補正の内容】
【００１８】
１      プレートレス転写フィルム
１０    基材
１２    転写層
１２１  離型層
１２３  透明保護層
１２５  図柄層
１２７  白色インク層
１２９  接着層
２      フルーカラーの図柄を有する印刷物
２０    被転写物
３      プレートレス転写装置
３０    転写機
３１    下固定部
３３    上固定部
３３１  シリコン層
３５    伝送部